(57)【要約】【課題】本発明は、簡略操作にて長期にわたって支障なく動く玩具の筆記具頂部に対する着脱を繰り返すことができ、且つ、興趣に溢れた動く玩具付筆記具を提供する。【解決手段】本発明の動く玩具付筆記具は、筆記部１を先端から出没させる構成の筆記具本体２と、載置面上を二足で歩行移動するゼンマイ駆動又は電動駆動の手振り式の二足移動玩具２０と、筆記具本体２の頂部、二足移動玩具２０の底部間にわたって設けたスライド嵌合式又はネジ込み式の着脱機構部とを有し、着脱機構部により筆記具本体２に二足移動玩具２０を装着した状態と、筆記具本体２から二足移動玩具２０を離脱させた状態との２種の形態をとり得るようにしたものである。【選択図】図１
2006187355.tif 000002
【特許請求の範囲】
【請求項１】
筆記具と、
載置面上を歩行移動したり、又は手や足或いは首を動かしたりする動く玩具と、
前記筆記具の頂部、動く玩具の底部間にわたって設けた着脱機構部と、
を有することを特徴とする動く玩具付筆記具。
【請求項２】
筆記具と、
載置面上を二足で歩行移動する手振り式の二足移動玩具と、
前記筆記具の頂部、二足移動玩具の底部間にわたって設けた着脱機構部と、
を有し、
前記着脱機構部により前記筆記具に二足移動玩具を装着した状態と、前記筆記具から二足移動玩具を離脱させた状態との２種の形態を取り得るようにしたことを特徴とする動く玩具付筆記具。
【請求項３】
筆記部を先端から出没させる構成の筆記具と、
載置面上を二足で歩行移動するゼンマイ駆動又は電動駆動の手振り式の二足移動玩具と、
前記筆記具の頂部、二足移動玩具の底部間にわたって設けたスライド嵌合式又はネジ込み式の着脱機構部と、
を有し、
前記着脱機構部により前記筆記具に二足移動玩具を装着した状態と、前記筆記具から二足移動玩具を離脱させた状態との２種の形態をとり得るようにしたことを特徴とする動く玩具付筆記具。
【請求項４】
筆記部を先端から出没させる構成の筆記具と、
載置面上を二足で移動するゼンマイ駆動又は電動駆動の手振り式のロボット玩具からなる二足移動玩具と、
前記筆記具の頂部、二足移動玩具の底部間にわたって設けたスライド嵌合式又はネジ込み式の着脱機構部と、
を有し、
前記着脱機構部により前記筆記具に二足移動玩具を装着した状態と、前記筆記具から二足移動玩具を離脱させた状態との２種の形態をとり得るようにするとともに、前記二足移動玩具の胴体部、手部、足部を、透明、赤、青、黒、シルバー等で色分けしたことを特徴とする動く玩具付筆記具。
【請求項５】
筆記具と、
載置面上を四足で移動する四足移動玩具と、
前記筆記具の頂部、四足移動玩具の底部間にわたって設けた着脱機構部と、
を有し、
前記着脱機構部により前記筆記具に四足移動玩具を装着した状態と、前記筆記具から四足移動玩具を離脱させた状態との２種の形態をとり得るようにしたことを特徴とする動く玩具付筆記具。
【請求項６】
筆記部を先端から出没させる構成の筆記具と、
載置面上を四足で移動するゼンマイ駆動又は電動駆動の四足動物形状の四足移動玩具と、
前記筆記具の頂部、四足移動玩具の底部間にわたって設けたスライド嵌合式又はネジ込み式の着脱機構部と、
を有し、
前記着脱機構部により前記筆記具に四足移動玩具を装着した状態と、前記筆記具から四足移動玩具を離脱させた状態との２種の形態をとり得るようにしたことを特徴とする動く玩具付筆記具。
【発明の詳細な説明】
【技術分野】
【０００１】
本発明は、動く玩具付筆記具に関し、詳しくは、シャープペンシル、ボールペン等の筆記具と床面上を移動する動く玩具とを着脱可能に組み合わせた動く玩具付筆記具に関するものである。
【背景技術】
【０００２】
従来、シャープペンシル、ボールペン等の筆記具の頂部に電車形状等の玩具を着脱可能に取り付け、筆記具としての機能の他に、取り外した玩具を小児等の遊興に供するようにした玩具付筆記具が提案され実用化されている。
【０００３】
特許文献１に開示されたこの種の玩具付筆記具の一例を図８乃至図１０を参照して説明する。
図８に示す玩具付筆記具５０は、筆記具先端側に配置した筆記部（ペン先）５１を筆記具本体から出没させる構成（例えばノック式）に構成した筆記具頂部５２に、例えば新幹線車両型の玩具６０を着脱可能に取り付けている。
【０００４】
特許文献１の玩具付筆記具５０における筆記具頂部５２と玩具６０との嵌着機構について説明する。
【０００５】
図９に示すように、筆記具頂部５２の突出端面側に鍔付の円柱部５３を露出させるとともにこの円柱部５３の外周の一部に小突起５４を設け、一方、玩具６０の底部を構成する底板６１の略中央部に、図１０に示すように、前記円柱部５３が装着可能な円形孔６２を穿設し、前記円柱部５３を円形孔６２に装着したときの前記小突起５４の円形孔６２の縁部に対する係合作用を利用して、筆記具頂部５２に対する玩具６０の着脱を可能としている。
なお、図８、図１０中、６３は玩具６０の車輪、図８乃至図１０中、５５は円柱部５３の外周に配置した蛇腹部である。
【０００６】
しかしながら、上記玩具付筆記具５０の場合、多数回にわたって玩具６０の着脱を繰り返した場合、小突起５４が摩耗してしまい、遂には小突起５４の円形孔６２の縁部に対する係合状態が無くなって玩具６０を筆記具頂部５２に取り付けることができなくなるという問題を包含している。
【０００７】
特許文献２には、小型自動車玩具のボディ形状に形成したノック装飾体の底部を筆記具の頭部に着脱可能に嵌着するように構成したノック式筆記具が提案されている。
【０００８】
しかし、この特許文献２のノック式筆記具の場合も、筆記具の頭部とノック装飾体の底部との着脱を多数回にわたって繰り返した場合、両者の係合状態が無くなって着脱不良を生じる惧れがある。
【０００９】
更に、従来においては、筆記具と、床面上等を歩行するロボット形状の玩具とを組み合わせたものは見当たらないのが実情である。
【特許文献１】特開２００４−２３０６６９号公報
【特許文献２】実開平０５−５８３７７号公報
【発明の開示】
【発明が解決しようとする課題】
【００１０】
解決しようとする問題点は、簡略操作にて長期にわたって支障なく動く玩具の筆記具頂部に対する着脱を繰り返すことができ、筆記具としての機能を発揮し得ることは勿論、取り外した動く玩具を小児等の遊興に供することが可能な興趣に溢れた動く玩具付筆記具が存在しない点である。
【課題を解決するための手段】
【００１１】
本発明は、筆記具と、載置面上を歩行移動したり又は手や足或いは首を動かしたり、更にまた、載置面上を二足で歩行移動する手振り式の動く玩具と、前記筆記具の頂部、動く玩具の底部間にわたって設けた着脱機構部とを有し、前記着脱機構部により前記筆記具に動く玩具を装着した状態と、前記筆記具から動く玩具を離脱させた状態との２種の形態をとり得るようにしたことを最も主要な特徴とする。
【発明の効果】
【００１２】
本発明によれば、以下の効果を奏する。
請求項１記載の発明によれば、筆記具と、載置面上を歩行移動したり又は手や足或いは首を動かしたりする動く玩具とを、筆記具の頂部、動く玩具の底部間にわたって設けた着脱機構部により着脱可能としたものであるから、簡略操作にて前記筆記具に動く玩具を装着してこれを筆記具として機能させることができるとともに、筆記具から動く玩具を離脱させ、動く玩具を載置面上で歩行移動させたり動かしたりすることもでき、小児等の遊興に供することが可能な興趣に溢れた玩具としても機能させることもできる。更に、前記筆記具から動く玩具を離脱させた状態では、筆記具部分によって本来の筆記機能を発揮させることも勿論可能である。
【００１３】
請求項２乃至４記載の発明によれば、筆記部を先端から出没させる構成の筆記具と、載置面上を二足で歩行移動するゼンマイ駆動又は電動駆動の手振り式の二足移動玩具とを、スライド嵌合式又はネジ込み式の着脱機構部により着脱可能としたものであるから、簡略操作にて長期にわたって支障なく二足移動玩具の筆記具頂部に対する着脱を繰り返すことができ、筆記具としての機能を発揮し得ることは勿論、取り外した二足移動玩具を小児等の遊興に供することが可能な興趣に溢れた動く玩具付筆記具を提供することができる。更に、前記二足移動玩具の胴体部、手部、足部を、透明、赤、青、黒、シルバー等で色分けした構成とすることで、小児等の玩具として使用する場合の興趣をより高めることができる。
【００１４】
請求項５、６記載の発明によれば、筆記具と、載置面上を歩行移動する例えば四足動物である像の形状の四足移動玩具とを、筆記具の頂部、四足移動玩具の底部間にわたって設けた着脱機構部により着脱可能としたものであるから、前記筆記具に四足移動玩具を装着してこれを筆記具として機能させることができるとともに、前記筆記具から四足移動玩具を離脱させ、四足移動玩具を載置面上で四足で歩行移動させることもでき、小児等の遊興に供することが可能な興趣に溢れた玩具としても機能させることもできる。更に、前記筆記具から四足移動玩具を離脱させた状態では、筆記具部分によって本来の筆記機能を発揮させることも勿論可能である。前記四足歩行のための駆動力は、ゼンマイ駆動又は電動駆動により得ることができる。また、前記着脱機構部としては、スライド嵌合式又はネジ込み式として長期の使用に耐える構成とすることができる。
【発明を実施するための最良の形態】
【００１５】
本発明は、簡略操作にて長期にわたって支障なく動く玩具の筆記具頂部に対する着脱を繰り返すことができ、筆記具としての機能を発揮し得ることは勿論、取り外した動く玩具を小児等の遊興に供することが可能な興趣に溢れた動く玩具付筆記具を提供するという目的を、筆記部を先端から出没させる構成の筆記具と、載置面上を二足で歩行移動するゼンマイ駆動又は電動駆動の手振り式の二足移動玩具と、前記筆記具の頂部、二足移動玩具の底部間にわたって設けたスライド嵌合式又はネジ込み式の着脱機構部とを有し、前記着脱機構部により前記筆記具に二足移動玩具を装着した状態と、前記筆記具から二足移動玩具を離脱させた状態との２種の形態をとり得るようにした構成により実現した。
【実施例】
【００１６】
以下に、本発明の実施例を詳細に説明する。
図１は本発明の実施例の一つであるシャープペンシル、ボールペン等として機能する動く玩具付筆記具１０を示すものである。
【００１７】
この動く玩具付筆記具１０は、図２に示すように、シャープペンシルとして機能する筆記具本体２と、この筆記具本体２の先端側に配置した筆記部（シャープペンシル、ボールペン等のペン先部等）１を筆記具本体２から出没させる機構（本実施例では一例としてノック式の構成のものを示す）に構成している。筆記具本体２の先端側に配置した筆記部１を筆記具本体２から出没させる機構としては、本実施例で示すノック式の他、例えば、サイドノック式、回転繰り出し式、オート芯出し式等々がある。
【００１８】
本実施例の動く玩具付筆記具１０は、前記筆記具本体２の筆記具頂部３に、例えば図３に示すようにロボット玩具形状に形成したゼンマイ駆動式で、且つ、手振り式の二足移動玩具２０を着脱機構部を介して着脱可能に取り付けている。
【００１９】
前記二足移動玩具２０は、頭部１１ａ及び胴部１１ｂを一体化したロボット形状の玩具本体部１１、ロボットハンド形状の左右の手部１２ａ、１２ｂ、各々コの字プレート状に形成した左右の足部１３ａ、１３ｂを有している。
【００２０】
また、前記胴部１１ｂ内には、前記左右の足部１３ａ、１３ｂに対して床等の載置面上を交互に動かして移動したり又は手や足或いは首を動かしたりするための駆動力を発生し、前記左右の手部１２ａ、１２ｂを交互に振らすための駆動力を発生するゼンマイ及びリンク機構、歯車機構等（図示せず）を内装している。また、前記胴部１１ｂから側方に向けて前記ゼンマイを巻き上げるための把持部分を白色とした操作桿１４を突設している。
【００２１】
なお、前記ゼンマイ及びリンク機構、クランク機構、歯車機構等は、公知のものを採用することができ、特に限定するものではない。また、前記二足移動玩具２０における駆動力は、ゼンマイ駆動式の他、小型モータ、リンク機構、クランク機構、歯車機構等を組み合わせた電動駆動式としても構成可能である。
【００２２】
前記二足移動玩具２０の玩具本体部１１、左右の手部１２ａ、１２ｂ、左右の足部１３ａ、１３ｂは、適宜の色で着色して小児等の興趣をより高めるように構成している。
【００２３】
この場合の着色の態様としては、例えば、玩具本体部１１をシルバー、左右の手部１２ａ、１２ｂを青、左右の足部１３ａ、１３ｂを青に着色した態様、玩具本体部１１を青、左右の手部１２ａ、１２ｂを黄、左右の足部１３ａ、１３ｂを赤に着色した態様、玩具本体部１１をクリア（透明又は半透明）、左右の手部１２ａ、１２ｂを赤、左右の足部１３ａ、１３ｂを赤に着色した態様等を挙げることができる。
【００２４】
次に、前記着脱機構部について図４を参照して詳述する。
この着脱機構部は、筆記具頂部３に突出形成した大径部４、小径部５からなる着脱用突部６と、図４に示すように、二足移動玩具２０における玩具本体部１１の底部を形成する底板２１に設けた前記大径部４が挿通可能な広幅穴部２２と前記小径部５が嵌合する嵌合穴部２３とを連通させた装着受穴２４とにより構成している。なお、図１、図２、図４中、７は筆記具頂部３の外周に配置した蛇腹部である。
【００２５】
本実施例の動く玩具付筆記具１０は、筆記具頂部３に形成した大径部４、小径部５からなる着脱用突部６と、二足移動玩具２０の底板２１に設けた前記大径部４が挿通可能な広幅穴部２２と前記小径部５が嵌合する嵌合穴部２３とを連通させた装着受穴２４とによって着脱機構部を構成し、筆記具頂部３、底板２１間を前記着脱機構部に対する簡略操作にて前記筆記具本体２、二足移動玩具２０を装着状態、分離状態の２種の形態をとり得るようにしたものである。
【００２６】
そして、筆記具頂部３に二足移動玩具２０を装着固定するには、図４に示すように、まず前記着脱機構部における広幅穴部２２に筆記具頂部３に形成した大径部４を挿通又は装着或いは嵌着した後、筆記具頂部３又は二足移動玩具２０自体を図４に示す矢印方向にスライドさせて筆記具頂部３に形成した小径部５を前記底板の嵌合穴部２３に嵌め込むものである。
【００２７】
逆に、筆記具頂部３から二足移動玩具２０を取り外すには、筆記具頂部３又は二足移動玩具２０自体を装着時とは逆方向にスライドさせて、筆記具頂部３側の小径部５を前記底板２１の嵌合穴部２３から広幅穴部２２側に移動させ、広幅穴部２２から大径部４を抜き取るものである。
【００２８】
このような構成、作用により、簡略操作にて長期にわたって支障なく二足移動玩具２０の筆記具頂部３に対する着脱を繰り返すことができる。
また、本実施例の動く玩具付筆記具１０は、前記筆記具本体２の機能によりシャープペンシル、ボールペン等として機能させることができる。すなわち、二足移動玩具２０を筆記具本体２に装着した状態、及び二足移動玩具２０を筆記具本体２から離脱させた状態の双方において、シャープペンシル、ボールペン等として機能させることができる。
【００２９】
更に、前記二足移動玩具２０を筆記具本体２から分離させ、前記操作桿１４を操作してゼンマイを巻き上げ、その後二足移動玩具２０を床面上等に載置することでこの二足移動玩具２０が床面上等を自力にて左右の足部１３ａ、１３ｂを交互に動かして移動（歩行）したり又は手や足或いは首を動かしたり、同時に左右の手部１２ａ、１２ｂを交互に動かす手振り動作を行うことから、幼児等にとって興趣に溢れた玩具として機能させることができる。
【００３０】
次に、図５を参照して前記着脱機構部の他例について説明する。
図５に示す着脱機構部は、筆記具本体２の筆記具頂部３に雄ネジ部８を設けるとともに、二足移動玩具２０の底板２１側に雌ネジ部２５を玩具本体部１１の内方に向けて設け、雄ネジ部８を雌ネジ部２５に螺合するネジ込み式としたものである。
【００３１】
このような図５に示す着脱機構部を採用することによっても、図４に示す着脱機構部の場合と同様、二足移動玩具２０を筆記具本体２に装着したり、分離したりする機能を長期にわたって発揮させることができる。
【００３２】
次に、図６を参照して本発明の他の実施例について説明する。
図６に示す動く玩具付筆記具１０Ａは、シャープペンシル、ボールペン機能等を有する筆記具本体２Ａと、二足移動玩具２０Ａとを既述した図４に示す着脱機構部により着脱可能に組み合わせたものである。
【００３３】
すなわち、図６に示す動く玩具付筆記具１０Ａは、シャープペンシル、ボールペン等として機能する筆記具本体２Ａと、この筆記具本体２Ａの先端側に配置した筆記部（シャープペンシル、ボールペンのペン先部）１Ａを筆記具本体２Ａから出没させるノック式等に構成している。
【００３４】
また、動く玩具付筆記具１０Ａは、前記筆記具本体２Ａの筆記具頂部３に、ロボット玩具形状に形成したゼンマイ駆動式で、且つ、手振り式の二足移動玩具２０Ａを着脱機構部を介して着脱可能に取り付けている。
【００３５】
前記二足移動玩具２０Ａは、前記二足移動玩具２０の場合と同様、頭部１１ａ及び胴部１１ｂを一体化したロボット形状の玩具本体部１１、ロボットハンド形状の左右の手部１２ａ、１２ｂ、各々コの字プレート状に形成した左右の足部１３ａ、１３ｂを有している。
【００３６】
また、前記胴部１１ｂ内には、前記左右の足部１３ａ、１３ｂに対して床等の載置面上を交互に動かして移動したり又は手や足或いは首を動かしたりするための駆動力を発生し、前記左右の手部１２ａ、１２ｂを交互に振らすための駆動力を発生するゼンマイ及びリンク機構、歯車機構等（図示せず）を内装している。
また、前記胴部１１ｂから側方に向けて前記ゼンマイを巻き上げるための把持部分を白色とした操作桿１４を突設している。
なお、図６に示す動く玩具付筆記具１０Ａにおいても、動く玩具付筆記具１０の場合と同様、電動駆動式に構成できることは勿論である。
【００３７】
前記二足移動玩具２０Ａにおける各部の着色形態は、例えば玩具本体部１１を黒、左右の手部１２ａ、１２ｂをシルバー、左右の足部１３ａ、１３ｂを黒に着色した態様、玩具本体部１１を赤、左右の手部１２ａ、１２ｂを黄、左右の足部１３ａ、１３ｂを青に着色した態様、玩具本体部１１をクリア（透明又は半透明）、左右の手部１２ａ、１２ｂを橙、左右の足部１３ａ、１３ｂを青に着色した態様等を挙げることができる。
【００３８】
図６に示す動く玩具付筆記具１０Ａにおいては、筆記具本体２Ａがボールペン等として機能する点を除いて図１に示す動く玩具付筆記具１０の場合と同様な機能を発揮する。
【００３９】
すなわち、二足移動玩具２０Ａを筆記具本体２Ａに装着した状態、及び二足移動玩具２０Ａを筆記具本体２Ａから離脱させた状態の双方において、ボールペン等として機能させることができ、また、前記二足移動玩具２０Ａを筆記具本体２Ａから分離させた状態において、床面上等を自力にて左右の足部１３ａ、１３ｂを交互に動かして移動（歩行）したり又は手や足或いは首を動かしたり、同時に左右の手部１２ａ、１２ｂを交互に動かす手振り動作をさせることで、幼児等にとって興趣に溢れた玩具として機能させることができる。
【００４０】
次に、図７を参照して本発明の更に他の実施例について説明する。
図７に示す動く玩具付筆記具１０Ｂは、シャープペンシル、ボールペン等として機能する筆記具本体２と、四足動物である例えば像の形状に形成したゼンマイ式で四足歩行する例えば灰色に着色した四足移動玩具４０とを図４又は図５に示す場合と同様な着脱機構部により着脱可能に構成したものである。
【００４１】
この場合も、四足移動玩具４０の足４１ａ、４１ｂ、４１ｃ、４１ｄの歩行のための駆動力は、操作桿１４で巻き上げるゼンマイ、リンク機構、クランク機構、歯車機構を用いた公知の機構を採用したり、小型モータを用いた電動式とすることができる。
また、前記筆記具本体２に替えてボールペンとして機能する筆記具本体２Ａと四足移動玩具４０とを組み合わせた構成とすることができる。
【００４２】
図７に示す動く玩具付筆記具１０Ｂによれば、簡略操作にて長期にわたって支障なく四足移動玩具４０を筆記具本体２に対する着脱を繰り返すことができる。  
【００４３】
また、前記筆記具本体２の機能により、シャープペンシルとして機能させることができる。すなわち、四足移動玩具４０を筆記具本体２に装着した状態、及び四足移動玩具４０を筆記具本体２から離脱させた状態の双方において、シャープペンシルとして機能させることができる。
【００４４】
更に、前記四足移動玩具４０を筆記具本体２から分離させ、操作桿１４を操作してゼンマイを巻き上げ、その後四足移動玩具４０を床面上等に載置することでこの四足移動玩具４０が床面上等を自力にて四足を交互に動かして移動（歩行）したり又は手や足或いは首を動かしたりすることから、幼児等にとって一段と興趣に溢れた玩具として機能させることができる。
ボールペンとして機能する筆記具本体２Ａと四足移動玩具４０とを組み合わせた場合も同様である。
【産業上の利用可能性】
【００４５】
本発明の動く玩具付筆記具としては、筆記具部分が上述したシャープペンシル機能、ボールペン機能を有するものの他、サインペン、マーキングペン等のような異なる機能、種態の筆記具部分を備えたものにも応用可能である。
また、動く玩具の形状としては、上述したロボット形状、像の形状に構成したものに限らず、二足歩行、四足歩行を行う各種鳥類、各種動物類等の形状、更には四足歩行のロボット形状とする応用も可能である。
【図面の簡単な説明】
【００４６】
【図１】本発明の実施例の動く玩具付筆記具を示す正面図である。
【図２】本発明の実施例の動く玩具付筆記具における筆記具を示す正面図である。
【図３】本実施例の動く玩具付筆記具における動く玩具を示す拡大斜視図である。
【図４】本実施例の動く玩具付筆記具における筆記具頂部に対する玩具の取り付け状態を示す概略斜視図である。
【図５】本実施例の動く玩具付筆記具における筆記具頂部に対する玩具の取り付け状態の他例を示す概略斜視図である。
【図６】本実施例の動く玩具付筆記具の他例を示す正面図である。
【図７】本実施例の動く玩具付筆記具の更に他例を示す斜視図である。
【図８】従来の玩具付筆記具を示す正面図である。
【図９】従来の玩具付筆記具における筆記具頂部を示す部分拡大図である。
【図１０】従来の玩具付筆記具における筆記具頂部に対する玩具の取り付け状態を示す概略斜視図である。
【符号の説明】
【００４７】
１    筆記部
２    筆記具本体
２Ａ  筆記具本体
３    筆記具頂部
４    大径部
５    小径部
６    着脱用突部
８    雄ネジ部
１０    動く玩具付筆記具
１０Ａ  動く玩具付筆記具
１０Ｂ  動く玩具付筆記具
１１    玩具本体部
１１ａ  頭部
１１ｂ  胴部
１２ａ、１２ｂ  手部
１３ａ、１３ｂ  足部
１４    操作桿
２０    二足移動玩具
２０Ａ  二足移動玩具
２１    底板
２２    広幅穴部
２３    嵌合穴部
２４    装着受穴
２５    雌ネジ部
４０    四足移動玩具
４１ａ  足
４１ｂ  足
４１ｃ  足
４１ｄ  足
【図１】
2006187355.tif 000003
【図２】
2006187355.tif 000004
【図３】
2006187355.tif 000005
【図４】
2006187355.tif 000006
【図５】
2006187355.tif 000007
【図６】
2006187355.tif 000008
【図７】
2006187355.tif 000009
【図８】
2006187355.tif 000010
【図９】
2006187355.tif 000011
【図１０】
2006187355.tif 000012